(57)【要約】【課題】  一般的に、建築構造物等には、床材としてデッキプレートを設置するが、デッキプレートを梁に溶接する際、作業時に火花が発生したり、その他危険物が落下する惧れがある。本発明は、デッキプレートを溶接せずに梁に取り付けることができる掛止金具を提供する。【解決手段】  梁に掛止される第１の掛止部材と、前記第１の掛止部材に接続され、前記第１の掛止部材とで前記梁及び前記プレートを挟持する第２の掛止部材と、前記梁に前記プレートを掛止する際、前記第１の掛止部材の回転を防止する回転防止部とによって掛止金具を構成した。【選択図】  図４
2016098493.tif 000002
【特許請求の範囲】
【請求項１】
梁にプレートを掛止する掛止金具であって、
前記梁に掛止される第１の掛止部材と、
前記第１の掛止部材に接続され、前記第１の掛止部材とで前記梁及び前記プレートを挟持する第２の掛止部材と、
前記梁に前記プレートを掛止する際に、前記第１の掛止部材の回転を防止する回転防止部と、
を備えることを特徴とする掛止金具。
【請求項２】
前記第１の掛止部材は、
前記梁に当接して掛止される引掛部と、
前記引掛部と一体に形成され、前記第２の掛止部材が螺合する螺合部と、
を有することを特徴とする請求項１に記載の掛止金具。
【請求項３】
前記回転防止部は、前記第１の掛止部材に設けられていることを特徴とする請求項１又は２に記載の掛止金具。
【請求項４】
前記第１の掛止部材は、前記デッキプレートに形成された長円状の挿通孔に挿通されており、
前記回転防止部は、前記挿通孔に挿通した際に、前記挿通孔の側縁部に沿って対向する平面部を有することを特徴とする請求項１から３までのいずれか一項に記載の掛止金具。
【請求項５】
前記平面部は前記第１の掛止部材における直立部分の前後面に形成されており、互いの前記平面部が平行に延在していることを特徴とする請求項４に記載の掛止金具。
【請求項６】
前記挿通孔の幅は７ｍｍ〜９ｍｍであり、前記第１の掛止部材は前記挿通孔の幅に対して−２．０ｍｍ〜−０．１ｍｍの幅に調整されていることを特徴とする請求項４又は５に記載の掛止金具。
【発明の詳細な説明】
【技術分野】
【０００１】
本発明は、床等の構築に用いるプレートを構造物の構成部材に掛止する際に用いる掛止金具に関する。
【背景技術】
【０００２】
建築構造物等の床材として、デッキプレートが広く用いられている（例えば、特許文献１参照）。
デッキプレートは、所定間隔をあけて構築された梁間に掛け渡されるように配置され、デッキプレートの両端部がそれぞれ梁の上面に溶接される。デッキプレートの設置後、デッキプレートの上にはコンクリートが打設される。
デッキプレートを梁に溶接する際には、作業時に発生する火花、その他の物が落下しないように、大型の布等でデッキプレートの下方を養生している。これは、施工時の安全を確保するために必要な作業となっている。
【先行技術文献】
【特許文献】
【０００３】
【特許文献１】特開２０１２−１２７１００号公報
【発明の概要】
【発明が解決しようとする課題】
【０００４】
しかし、上記のようなプレートを梁に溶接によって接合する際の養生は必須の工程であるものの、養生布の設置作業と撤去作業は手間のかかるものであり、工期短縮を阻害する一因となっている。そのため、より効率的にプレートを設置する方法の開発が望まれている。
【０００５】
そこで、本発明は、上記課題に鑑みてなされたものであり、溶接をすることなく、梁にプレートを取り付けることができるようにするための掛止金具を提供することを目的とする。
【課題を解決するための手段】
【０００６】
上記課題を解決するため、本発明は、梁にプレートを掛止する掛止金具であって、前記梁に掛止される第１の掛止部材と、前記第１の掛止部材に接続され、前記第１の掛止部材とで前記梁及び前記プレートを挟持する第２の掛止部材と、前記梁に前記プレートを掛止する際に、前記第１の掛止部材の回転を防止する回転防止部と、備えることを特徴とする。
【０００７】
また、前記第１の掛止部材は、前記梁に当接して掛止される引掛部と、前記引掛部と一体に形成され、前記第２の掛止部材が螺合する螺合部と、を有することが好ましい。
【０００８】
また、前記回転防止部は、前記第１の掛止部材に設けられていることが好ましい。
【０００９】
また、前記第１の掛止部材は、前記デッキプレートに形成された長円状の挿通孔に挿通されており、前記回転防止部は、前記挿通孔に挿通した際に、前記挿通孔の側縁部に沿って対向する平面部を有することが好ましい。
【００１０】
また、前記平面部は前記第１の掛止部材の二カ所に形成されており、互いの前記平面部が平行に延在していることが好ましい。
【００１１】
また、前記挿通孔の幅は７ｍｍ〜９ｍｍであり、前記第１の掛止部材は前記挿通孔の幅に対して−２．０ｍｍ〜−０．１ｍｍの幅に調整されていることが好ましい。
【発明の効果】
【００１２】
本発明によれば、第１の掛止部材と第２の掛止部材とで梁及びプレートを挟持することにより、梁にプレートを固定することができる。よって、溶接を用いることなく、梁にプレートを取り付けることができる。また、掛止金具は、梁及びプレートを挟持することにより、摩擦力で両者を固定するものであるため、外力が作用することで掛止金具自体が回転してしまうおそれがあるが、回転防止部を備えることにより、一度掛止しておけば、掛止金具がずれて外れることもない。よって、溶接に代わる手段として梁にプレートを取り付けることができる。
【図面の簡単な説明】
【００１３】
【図１】掛止金具の分解斜視図である。
【図２】（ａ）は第１の掛止部の正面図、（ｂ）は（ａ）におけるＡ−Ａ断面図である。
【図３】梁にデッキプレートを取り付けた状態を示す斜視図である。
【図４】掛止金具によってデッキプレートを梁に取り付けた状態を説明する図である。
【図５】挿通孔を形成する位置を説明するデッキプレートの斜視図である。
【図６】デッキプレートを梁に取り付ける方法を説明する図である。
【発明を実施するための形態】
【００１４】
本発明の好ましい実施形態について、図面を参照しながら説明する。なお、以下に示す実施形態は一つの例示であり、本発明の範囲において、種々の実施形態をとり得る。
【００１５】
＜掛止金具の構成＞
図１、図２に示すように、掛止金具１０は、梁４（図３、図４参照）にデッキプレート３（図３、図４参照）を取り付ける際に梁４に掛止される第１の掛止部材１と、第１の掛止部材１に接続され、第１の掛止部材１とで梁４及びデッキプレート３を挟み込んで保持する第２の掛止部材２と、を備えている。
【００１６】
第１の掛止部材１は、正面視略Ｌ字状に形成されている。すなわち、第１の掛止部材１は、途中でほぼ直角に曲げられて形成されている。
第１の掛止部材１は、梁４に当接して掛止される引掛部１１と、この引掛部１１と一体に形成され、第２の掛止部材２が螺合する螺合部１２とを有している。
【００１７】
引掛部１１は、図２に示すように、掛止金具１０を正面から見た際に、横方向に延びる部分であり、掛止金具１０を用いて梁４にデッキプレート３を取り付けた際に、デッキプレート３の延在方向に沿って配置される部分であり、梁４の下方から梁４に引っ掛けられる。引掛部１１の断面は、長円状に形成されており、引掛部１１の長い方の幅は、例えば、１０ｍｍとすることが好ましく、引掛部１１の短い方の幅は、例えば、６ｍｍ以上７ｍｍ未満とすることが好ましい。引掛部１１を含む掛止金具１０の横方向の長さは、例えば、６０ｍｍ前後とすることが好ましい。
なお、引掛部１１の長い方の幅を、１２ｍｍとすると、引掛部１１の短い方の幅は、８ｍｍ以上９ｍｍ未満とすることが好ましい。
【００１８】
螺合部１２は、引掛部１１の一端に連続し、引掛部１１と一体に形成されている。螺合部１２は、図２に示すように、掛止金具１０を正面から見た際に、縦方向に延びる部分であり、掛止金具１０を用いて梁４にデッキプレート３を取り付けた際に、デッキプレート３の延在方向に直交する方向に沿って配置され、デッキプレート３の挿通孔３１（図３、図４参照）に挿通される。螺合部１２の断面は、長円状に形成されており、その円弧状の曲面にねじ部１３が形成されている。すなわち、ねじ部１３は横断面方向で対向する二カ所に形成されている。ねじ部１３は、螺合部１２の一端から引掛部１１と螺合部１２との接続部分手前まで形成されている。ねじ部１３が形成される螺合部１２の長手方向の長さは、５０ｍｍ前後とすることが好ましい。螺合部１２の長い方の幅は、例えば、１０ｍｍとすることが好ましく、螺合部１２の短い方の幅は、例えば、６ｍｍ以上７ｍｍ未満とすることが好ましい。螺合部１２を含む掛止金具１０の縦方向の長さは、例えば、６５ｍｍ前後とすることが好ましい。したがって、掛止金具１０において、ねじ部１３の下端から掛止金具１０の下端までの長さは１５ｍｍ前後となる。
【００１９】
螺合部１２において、ねじ部１３が形成されていない部分は、平面状に形成された平面部１４を有している。この平面部１４は、第１の掛止部材１をデッキプレート３の挿通孔３１に挿通した際に、挿通孔３１の側縁部に対向するように形成されている。すなわち、平面部１４は、二カ所に形成されており、互いの平面部１４が平行に延在するように形成されている。平面部１４は、螺合部１２から引掛部１１にわたって連続して面一に形成されている。これにより、第１の掛止部材１は、どの位置でも幅が同一となるように形成されている。
ここで、掛止金具１０を用いて梁４にデッキプレート３を掛止する際に、第１の掛止部材１がデッキプレート３の挿通孔３１内で回転しようとしても、これらの二つの平面部１４が挿通孔３１の側縁部にすぐに接触して第１の掛止部材１の回転を防止する。よって、平面部１４は、掛止金具１０における回転防止部として機能する。ここで、両平面部１４問の距離は、螺合部１２の短い方の幅に相当し、上述したように、６ｍｍ以上７ｍｍ未満とすることが好ましい。
なお、螺合部１２は、規格Ｍ１０のボルトにおける直立部分の前後面を縦方向に平面状に削ることで簡単に作製することができる。
【００２０】
第２の掛止部材２は、ねじ部１３に螺合するナット部２１と、このナット部２１の下端部に設けられた座金部２２とを有している。座金部２２は、ナット部２１の断面よりも大きく形成されており、デッキプレート３を上方から押さえつけて第１の掛止部材１の引掛部１１とでデッキプレート３と梁４を挟持する。
【００２１】
＜デッキプレートの梁への取付構造＞
次に、掛止金具１０を用いてデッキプレート３を梁４に取り付けたときの構造について説明する。
図３、図４に示すように、デッキプレート３は、例えば、矩形状に枠組みされた梁４の上面に載置されると共に、その両端部が梁４と掛止金具１０によって一体的に固定されている。
デッキプレート３は、平面視矩形状の鋼板から形成されている。デッキプレート３の長手方向における両端部近傍には、掛止金具１０の第１の掛止部材１を挿通するための挿通孔３１が形成されている。挿通孔３１は、デッキプレート３の長手方向に沿って延びる長孔状に形成されている。
デッキプレー卜３における梁４の上面に載置したときの下面側には、所定の間隔をあけてリブ３２が形成されている。リブ３２は、デッキプレート３の長手方向に沿って延在している。また、デッキプレート３の表面には、エンボス加工が施されていてもよい。
梁４は、建築構造物の梁であり、例えば、Ｈ形鋼で構成されている。梁４は、両端部がそれぞれ鉄骨の柱に組み付けられており、四本の梁４で矩形状の枠体を形成している。デッキプレート３の両端部は対向する梁４の上面に載置され、掛止金具１０によって梁４と一体に固定されている。デッキプレート３は、梁４の上面にほとんど隙間なく並べられている。ここで、複数のデッキプレート３のうち、並び方向一端部のデッキプレート３の側縁部は、一方の梁４の上面に載置されており、並び方向他端部のデッキプレート３の側縁部には調整プレート５が連結され、この調整プレート５が他方の梁４の上面に載置されている。調整プレート５は、デッキプレート３と同様に、掛止金具１０によって梁４に固定されている。
なお、調整プレート５は、必ずしも必要なわけではなく、対向する梁４の間隔に応じて、調整プレート５を設けることなくデッキプレート３だけでもよいし、並び方向両端部に位置するデッキプレート３のそれぞれに設けてもよい。
梁４に取り付けられたデッキプレート３の一部は、ボルト及びナットによって梁４の上面に設けられた調整プレート５と連結されている。
【００２２】
図４に示すように、掛止金具１０を用いてデッキプレート３を梁４に取り付けた状態においては、第１の掛止部材１の引掛部１１が梁４の下面側から梁４に当接しており、第２の掛止部材２の座金部２２が梁４の上面に載置されたデッキプレート３の上面側からデッキプレート３に当接しており、第２の掛止部材２のナット部２１の締め付けにより、引掛部１１と座金部２２とで梁４とデッキプレート３を当接面で発生する摩擦力により挟持している。
【００２３】
図５に示すように、挿通孔３１の長さは２５ｍｍ、幅は７ｍｍであることが好ましい。また、挿通孔３１は、デッキプレート３の一端部から４５ｍｍ他端部側の位置を基準として他端部側に向けて２５ｍｍの長さだけ延在するように形成することが好ましい。また、隣接するデッキプレート３の挿通孔３１同士の間隔は、２１０ｍｍであることが好ましい。
【００２４】
＜デッキプレートの梁への取付方法＞
次に、デッキプレート３を梁４に取り付ける方法について説明する。
図６に示すように、梁４の上面にデッキプレート３を載置した後、デッキプレート３の挿通孔３１に、第１の掛止部材１の引掛部１１の先端から挿通させる。このとき、挿通孔３１の幅は７ｍｍであり、引掛部１１の短い方の幅が６ｍｍ以上７ｍｍ未満であるため、引掛部１１の短い方の幅方向と挿通孔３１の幅方向とを平行になるようにしながら挿通させる必要がある。また、平面部１４は、螺合部１２から引掛部１１にわたって面一に形成されているので、螺合部１２についても、引掛部１１の挿通時と同じ姿勢を維持していなければ挿通孔３１に挿通させることができない。
第１の掛止部材１を挿通孔３１に挿通した後、引掛部１１を梁４の裏面に引っ掛け、第２の掛止部材２のナット部２１を螺合部１２のねじ部１３に螺合させる。第２の掛止部材２を締め付けていき、座金部２２をデッキプレート３に十分に押し付ける。
以上の作業をすることで、引掛部１１と座金部２２とで、梁４とデッキプレート３を挟持することができる。
【００２５】
＜効果＞
以上のような構成を有する掛止金具１によれば、第１の掛止部材１と第２の掛止部材２とで梁４及びデッキプレート３を挟持することにより、梁４にデッキプレート３を固定することができる。よって、溶接を用いることなく、梁４にデッキプレート３を取り付けることができる。また、掛止金具１０は、梁４及びデッキプレート３を挟持することにより、摩擦力で両者を固定するものであるため、外力が作用することで掛止金具１０自体が回転してしまうおそれがあるが、回転防止部として機能する平面部１４を備えることにより、一度掛止しておけば、掛止金具１０がずれて外れることもない。よって、溶接に代わる手段として掛止金具１０を用いて、梁４にデッキプレート３を取り付けることができる。
また、第１の掛止部材１は、螺合部１２から引掛部１１にわたって平面部１４が形成されているので、第１の掛止部材１の断面はすべて長円状に形成されているので、デッキプレート３の片側から第１の掛止部材１を挿通孔３１に挿通することができ、デッキプレート３の反対側の面まで手が届かないような場所においても容易に取り付けることができる。
また、回転防止部を平面部１４とすることで、ボルトの一部を削って形成することができ、掛止金具１０の軽量化を図ることができる。
また、デッキプレート３の挿通孔３１の幅は、７ｍｍであり、第１の掛止部材１の幅は６ｍｍ以上７ｍｍ未満であるため、ほぼ隙間なく、第１の掛止部材１を挿通孔３１に挿通することができ、第１の掛止部材１の回転をほとんど許すことがない。
【００２６】
＜その他＞
なお、本発明は、上記実施形態に限られるものではなく、本発明の範囲を超えない範囲で適宜変更が可能である。例えば、第１の掛止部材及び第２の掛止部材の形状は任意であって、梁とデッキプレートとを挟持して固定できるものであれば、自由に変更可能である。また、回転防止部は、平面部に限らず、第１の掛止部に突起を設けて梁又はデッキプレートに引っ掛けるように構成してもよい。
また、掛止金具１０は、デッキプレート３に設けられた挿通孔３１の全てに用いる必要はなく、必要強度に応じて、適宜、取付箇所数を調整してもよい。
また、挿通孔３１の幅は、７ｍｍ〜９ｍｍの範囲内が好適であり、このとき、第１の掛止部材１は、挿通孔３１の幅に対して−２．０ｍｍ〜−０．１ｍｍの幅に調整されていることが好ましい。
【符号の説明】
【００２７】
１  第１の掛止部材
２  第２の掛止部材
３  デッキプレート
４  梁
５  調整プレート
１０  掛止金具
１１  引掛部
１２  螺合部
１３  ねじ部
１４  平面部（回転防止部）
２１  ナット部
２２  座金部
【図１】
2016098493.tif 000003
【図２】
2016098493.tif 000004
【図３】
2016098493.tif 000005
【図４】
2016098493.tif 000006
【図５】
2016098493.tif 000007
【図６】
2016098493.tif 000008